(57)【要約】【課題】  連続する映像信号等のストリームを複数の記録媒体にわたって連続記録した場合に、その連続記録された複数の記録媒体のみを取り出し、別の装置で連続再生できるようにする。【解決手段】  この記録装置では、連続する映像信号又は音声信号のストリームを第１及び第２ストリームに時間分割し、第１ストリームを第１ファイルとして第１記録媒体に記録し、第２ストリームを第２ファイルとして第２記録媒体に記録する記録装置であって、第２記録媒体を特定する媒体固有の製造記号番号に関する第１管理情報を第１ファイルと関連付けて第１記録媒体に記録するか、又は、第１記録媒体を特定する媒体固有の製造記号番号に関する第２管理情報を第２ファイルと関連付けて第２記録媒体に記録する。【選択図】      図１
2004355794.tif 000002
【特許請求の範囲】
【請求項１】
連続する映像信号又は音声信号のストリームを第１ストリーム及び第２ストリームに時間分割し、前記第１ストリームを第１ファイルとして第１記録媒体に記録し、前記第２ストリームを第２ファイルとして第２記録媒体に記録する記録装置であって、
前記第２ファイル又は前記第２記録媒体に関する第１管理情報を前記第１ファイルと関連付けて前記第１記録媒体に記録するか、又は、
前記第１ファイル又は前記第１記録媒体に関する第２管理情報を前記第２ファイルと関連付けて前記第２記録媒体に記録する、記録装置。
【請求項２】
連続する映像信号のストリームと連続する音声信号のストリームとを、互いに同期した第１映像ストリーム及び第１音声ストリームと、互いに同期した第２映像ストリーム及び第２音声ストリームとに時間分割し、前記第１映像ストリーム及び前記第１音声ストリームを第１映像ファイル及び第１音声ファイルとして第１記録媒体に記録し、前記第２映像ストリーム及び前記第２音声ストリームを第２映像ファイル及び第２音声ファイルとして第２記録媒体に記録する記録装置であって、
前記第２映像ファイル、前記第２音声ファイル又は前記第２記録媒体に関する第１管理情報を前記第１映像ファイル及び前記音声ファイルと関連付けて前記第１記録媒体に記録するか、又は、
前記第１映像ファイル、前記第１音声ファイル又は前記第１記録媒体に関する第２管理情報を前記第２映像ファイル及び前記第２音声ファイルと関連付けて前記第２記録媒体に記録する、記録装置。
【請求項３】
前記第１映像ファイル及び前記第１音声ファイルの記録終了時刻を互いに同一とすると共に、前記第２映像ファイル及び前記第２音声ファイルの記録開始時刻を互いに同一とすることを特徴とする請求項２に記載の記録装置。
【請求項４】
前記映像信号のフレーム周波数と前記音声信号のサンプル周波数とが互いに異なる場合に、所定数の映像フレームごとに所定のサンプル数の音声信号を対応させて前記映像信号と前記音声信号とを互いに同期させることを特徴とする請求項２又は３に記載の記録装置。
【請求項５】
前記第１又は第２管理情報を管理情報ファイルに書き込むことを特徴とする請求項１から４のいずれか一項に記載の記録装置。
【請求項６】
前記第２記録媒体に関する第１管理情報又は前記第１記録媒体に関する第２管理情報は、記録媒体を特定するＩＤ情報を含むことを特徴とする請求項１から５のいずれか一項に記載の記録装置。
【請求項７】
前記第１又は第２ファイルの記録開始の先頭フレームのシーケンス番号を前記第１又は第２管理情報ファイルに記録することを特徴とする請求項４に記載の記録装置。
【請求項８】
前記映像信号がＭＰＥＧ圧縮された映像信号である場合に、各ＧＯＰの開始時点で下記式により連続する２ＧＯＰ終了時点における前記第１映像ファイル及び第１音声ファイルのファイルサイズ増加量Ｄｔを予測し、前記第１記録媒体の記録可能な残量と前記Ｄｔとを比較して、前記残量が前記Ｄｔより少ない場合には記録先の切り替えるように判断することを特徴とする請求項２に記載の記録装置。
Ｄｔ＝（Ｄａ×２Ｍ）＋（（Ｒｍａｘ／Ｆｎｕｍ）×２Ｍ）
Ｍ：１ＧＯＰのフレーム数
Ｄａ：１フレーム単位でのＡｕｄｉｏデータサイズ
Ｒｍａｘ：ＶＢＲでのＭＰＥＧの最大レート（Ｍａｘレート）
Ｆｎｕｍ：フレーム周波数
【請求項９】
前記映像信号がＭＰＥＧ圧縮された信号である場合に、前記映像信号のストリームをＧＯＰの先頭の直前で時間分割することを特徴とする請求項１に記載の記録装置。
【請求項１０】
連続する映像信号又は音声信号のストリームを第１ストリーム及び第２ストリームに時間分割するストリーム分割手段と、
第１記録媒体を格納して、前記第１ストリームを第１ファイルとして前記第１記録媒体に記録する第１記録ドライブと、
第２記録媒体を格納して、前記第２ストリームを第２ファイルとして前記第２記録媒体に記録する第２記録ドライブと、
前記第２ファイル又は前記第２記録媒体に関する第１管理情報を前記第１記録ドライブに送って、前記第１ファイルと関連付けて前記第１記録媒体に記録させるか、又は、前記第１ファイル又は前記第１記録媒体に関する第２管理情報を前記第２記録ドライブに送って、前記第２ファイルと関連付けて前記第２記録媒体に記録させる制御部と
を備えることを特徴とする記録装置。
【請求項１１】
前記第１管理情報は、前記第２記録媒体を特定する媒体固有の製造記号番号に関する情報であり、前記第２管理情報は、前記第１記録媒体を特定する媒体固有の製造記号番号に関する情報であることを特徴とする請求項１から１０のいずれか一項に記載の記録装置。
【請求項１２】
連続する映像信号又は音声信号のストリームを第１ストリーム及び第２ストリームに時間分割するステップと、
前記第１ストリームを第１ファイルとして第１記録媒体に記録するステップと、
前記第２ストリームを第２ファイルとして前記第２記録媒体に記録するステップと、
前記第２ファイル又は前記第２記録媒体に関する第１管理情報を前記第１ファイルと関連付けて前記第１記録媒体に記録するか、又は、前記第１ファイル又は前記第１記録媒体に関する第２管理情報を前記第２ファイルと関連付けて前記第２記録媒体に記録するステップと
を含むことを特徴とする記録方法。
【請求項１３】
連続する映像信号のストリームと連続する音声信号のストリームとを、互いに同期した第１映像ストリーム及び第１音声ストリームと、互いに同期した第２映像ストリーム及び第２音声ストリームとに時間分割するステップと、
前記第１映像ストリーム及び前記第１音声ストリームを第１映像ファイル及び第１音声ファイルとして第１記録媒体に記録するステップと、
前記第２映像ストリーム及び前記第２音声ストリームを第２映像ファイル及び第１音声ファイルとして前記第２記録媒体に記録するステップと、
前記第２映像ファイル、前記第２音声ファイル又は前記第２記録媒体に関する第１管理情報を前記第１映像ファイル及び前記第１音声ファイルと関連付けて前記第１記録媒体に記録するか、又は、前記第１映像ファイル、前記第１音声ファイル又は前記第１記録媒体に関する第２管理情報を前記第２映像ファイル及び前記第２音声ファイルと関連付けて前記第２記録媒体に記録するステップと
を含むことを特徴とする記録方法。
【請求項１４】
前記映像信号がＭＰＥＧ圧縮された映像信号である場合に、各ＧＯＰの開始時点で下記式により連続する２ＧＯＰ終了時点における前記第１映像ファイル及び前記第１音声ファイルのファイルサイズ増加量Ｄｔを予測し、前記第１記録媒体の記録可能な残量と前記Ｄｔとを比較して、前記残量が前記Ｄｔより少ない場合には記録先の切り替えを判断するステップをさらに含むことを特徴とする請求項１３に記載の記録方法。
Ｄｔ＝（Ｄａ×２Ｍ）＋（（Ｒｍａｘ／Ｆｎｕｍ）×２Ｍ）
Ｍ：１ＧＯＰのフレーム数
Ｄａ：１フレーム単位でのＡｕｄｉｏデータサイズ
Ｒｍａｘ：ＶＢＲでのＭＰＥＧの最大レート（Ｍａｘレート）
Ｆｎｕｍ：フレーム周波数
【請求項１５】
記録先を前記第１記録媒体から前記第２記録媒体に切り替えるステップをさらに含むことを特徴とする請求項１２から１４のいずれか一項に記載の記録方法。
【請求項１６】
連続する映像信号又は音声信号のストリームを順次、第１ファイルとして第１記録媒体に記録するステップと、
前記ストリームのうち前記第１ファイルに続く箇所を順次、第２ファイルとして第２記録媒体に記録するステップと、
前記第２記録媒体に関する第１管理情報を前記第１ファイルと関連付けて前記第１記録媒体に記録するステップと、
を含む、記録方法。
【請求項１７】
前記第１記録媒体に関する第２管理情報を前記第２ファイルと関連付けて前記第２記録媒体に記録するステップをさらに含むことを特徴とする請求項１６に記載の記録方法。
【請求項１８】
連続する映像信号又は音声信号のストリームを順次、第１ファイルとして第１記録媒体に記録するステップと、
前記ストリームのうち前記第１ファイルに続く箇所を順次、第２ファイルとして前記第２記録媒体に記録するステップと、
前記第１記録媒体に関する第２管理情報を前記第２ファイルと関連付けて前記第２記録媒体に記録するステップと
を含む、記録方法。
【請求項１９】
記録先を前記第１記録媒体から第２記録媒体に切り替えるか否かを判断するステップと、
記録先を前記第１記録媒体から前記第２記録媒体に切り替えるステップと
をさらに含むことを特徴とする請求項１６から１８のいずれか一項に記載の記録方法。
【請求項２０】
連続する映像信号及び音声信号のストリームを順次、互いに同期する第１映像ファイル及び第１音声ファイルとして第１記録媒体に記録するステップと、
前記ストリームのうち前記第１映像及び音声ファイルに続く箇所を順次、互いに同期する第２映像ファイル及び第２音声ファイルとして第２記録媒体に記録するステップと、
前記第２記録媒体を特定する第１管理情報を前記第１映像及び音声ファイルと関連付けて前記第１記録媒体に記録するステップと
を含む、記録方法。
【請求項２１】
前記第１記録媒体を特定する第２管理情報を前記第２映像及び音声ファイルと関連付けて前記第２記録媒体に記録するステップをさらに含むことを特徴とする請求項２０に記載の記録方法。
【請求項２２】
連続する映像信号及び音声信号のストリームを順次、互いに同期する第１映像ファイル及び第１音声ファイルとして第１記録媒体に記録するステップと、
前記ストリームのうち前記第１映像及び音声ファイルに続く箇所を順次、互いに同期する第２映像ファイル及び第２音声ファイルとして前記第２記録媒体に記録するステップと、
前記第１記録媒体を特定する第２管理情報を前記第２映像及び音声ファイルと関連付けて前記第２記録媒体に記録するステップと
をさらに含む、記録方法。
【請求項２３】
記録先を前記第１記録媒体から第２記録媒体に切り替えるか否かを判断するステップと、
記録先を前記第１記録媒体から前記第２記録媒体に切り替えるステップと
をさらに含むことを特徴とする請求項１７から２２のいずれか一項に記載の記録方法。
【請求項２４】
前記第１管理情報は、前記第２記録媒体を特定する媒体固有の製造記号番号に関する情報であることを特徴とする請求項１２、１３、１５〜２１、２３のいずれか一項に記載の記録方法。
【請求項２５】
前記第２管理情報は、前記第１記録媒体を特定する媒体固有の製造記号番号に関する情報であることを特徴とする請求項１２〜１６、１８、１９、２１〜２３のいずれか一項に記載の記録方法。
【請求項２６】
連続する映像信号又は音声信号のストリームを第１ストリーム及び第２ストリームに時間分割するステップと、
前記第１ストリームを第１ファイルとして第１記録媒体に記録するステップと、
前記第２ストリームを第２ファイルとして前記第２記録媒体に記録するステップと、
前記第１ファイルと関連付けて前記第２ファイル又は前記第２記録媒体に関する第１管理情報を前記第１記録媒体に記録するステップと、
前記第１ファイル又は前記第１記録媒体に関する第２管理情報を前記第２ファイルと関連付けて前記第２記録媒体に記録するステップと
をコンピュータに実行させる記録プログラム。
【請求項２７】
記録先を前記第１記録媒体から前記第２記録媒体に切り替えるステップをさらに含むことを特徴とする請求項２６に記載のコンピュータに実行させる記録プログラム。
【請求項２８】
連続する映像信号又は音声信号のストリームを順次、第１ファイルとして第１記録媒体に記録するステップと、
前記ストリームのうち前記第１ファイルに続く箇所を順次、第２ファイルとして第２記録媒体に記録するステップと、
前記第２ファイル又は前記第２記録媒体に関する第１管理情報を前記第１ファイルと関連付けて前記第１記録媒体に記録するステップと、
前記第１ファイル又は前記第１記録媒体に関する第２管理情報を前記第２ファイルと関連付けて前記第２記録媒体に記録するステップと
をコンピュータに実行させる記録プログラム。
【請求項２９】
記録先を前記第１記録媒体から第２記録媒体に切り替えるか否かを判断するステップと、
記録先を前記第１記録媒体から前記第２記録媒体に切り替えるステップと
をさらに含むことを特徴とする請求項２８に記載のコンピュータに実行させる記録プログラム。
【請求項３０】
前記第１管理情報は、前記第２記録媒体を特定する媒体固有の製造記号番号に関する情報であって、前記第２管理情報は、前記第１記録媒体を特定する媒体固有の製造記号番号に関する情報であることを特徴とする請求項２６から２９のいずれか一項に記載の記録プログラム。
【請求項３１】
請求項２６から３０のいずれか一項に記載の記録プログラムを記録したコンピュータ読み取り可能な記録媒体。
【請求項３２】
複数の記録媒体を装着し、前記各記録媒体に記録されている複数の映像ファイル又は音声ファイルを再生する再生装置であって、
第１記録媒体に記録された第１映像又は音声ファイルを再生する際、前記第１記録媒体に記録されている前記第１映像又は音声ファイルに連続して再生すべき第２映像又は音声ファイルに関する第１管理情報を読み出して、前記第２映像又は音声ファイルが記録されている第２記録媒体を特定し、
前記第１映像又は音声ファイルに引き続いて、前記第２記録媒体から前記第２映像又は音声ファイルを読み出して連続再生する、再生装置。
【請求項３３】
複数の記録媒体を装着し、前記記録媒体に記録されている複数の映像ファイル又は音声ファイルを再生する再生装置であって、
第１記録媒体に記録された第１映像又は音声ファイルを再生する際、前記第１記録媒体に記録されている前記第１映像又は音声ファイルに連続して再生すべき第２映像又は音声ファイルに関する第１管理情報を読み出して、前記第２映像又は音声ファイルが記録されている第２記録媒体を特定し、
前記第２記録媒体が装着されていない場合は、前記第２映像又は音声ファイルに関する第１管理情報を表示する、再生装置。
【請求項３４】
複数の記録媒体を装着し、前記各記録媒体に記録されている複数の映像ファイル又は音声ファイルを再生する再生装置であって、
前記各記録媒体に記録されている管理情報ファイルを読み出して解析して、連続する一連の映像又は音声のストリームを構成する前記各記録媒体に記録されている映像又は音声ファイルの順番を作成し、
前記各記録媒体に記録されている連続する一連の映像又は音声のストリームを表示して、再生するストリームの指示を受け付け、
受け付けた再生指示に従って、前記映像又は音声のストリームを前記作成した順番に沿って前記各記録媒体から前記映像又は音声ファイルを読み出して連続再生する、再生装置。
【請求項３５】
連続する映像信号又は音声信号のストリームが第１ストリーム及び第２ストリームに時間分割されて第１ストリームが第１ファイルとして記録された第１記録媒体と、前記第２ストリームが第２ファイルとして記録された第２記録媒体とをそれぞれ格納する第１及び第２ドライブと、
前記第１記録媒体から前記第１ファイルの前後のファイルに関する第１管理情報を取得し、前記第２記録媒体から前記第２ファイルの前後のファイルに関する第２管理情報を取得する管理情報取得手段と、
前記第１管理情報と前記第２管理情報とに基づいて、一連のストリームを構成するように連続するファイルの順番を作成する管理情報処理手段と、
前記各記録媒体に記録された連続するストリームの組を表示する表示手段と、
前記ストリームの組から再生するストリームの選択を入力する入力手段と、
前記入力に従って、前記ストリームを構成するように前記ファイルの順番に沿って連続再生する再生手段と
を備える再生装置。
【請求項３６】
連続する映像信号又は音声信号のストリームが第１ストリーム及び第２ストリームに時間分割されて、前記第１ストリームから構成される第１ファイルが記録された第１記録媒体と、前記第２ストリームから構成される第２ファイルが記録された第２記録媒体とのうちの第１記録媒体であって、
前記第１ファイルと、
前記第１ファイルと関連付けられた前記第２ファイル又は前記第２記録媒体に関する第１管理情報と
が記録されている、記録媒体。
【請求項３７】
前記第１管理情報は、前記第２記録媒体を特定する媒体固有の製造記号番号に関する情報であることを特徴とする請求項３６に記載の記録媒体。
【請求項３８】
連続する映像信号又は音声信号のストリームが第１ストリーム及び第２ストリームに時間分割されて、前記第１ストリームから構成される第１ファイルが記録された第１記録媒体と、前記第２ストリームから構成される第２ファイルが記録された第２記録媒体とのうちの第２記録媒体であって、
前記第２ファイルと、
前記第２ファイルと関連付けられた前記第１ファイル又は前記第１記録媒体に関する第２管理情報と
が記録されている、記録媒体。
【請求項３９】
前記第２管理情報は、前記第１記録媒体を特定する媒体固有の製造記号番号に関する情報であることを特徴とする請求項３８に記載の記録媒体。
【発明の詳細な説明】
【技術分野】
【０００１】
本発明は、複数の記録媒体にわたる映像及び音声の記録再生装置に関する。
【背景技術】
【０００２】
近年、光ディスクや、半導体メモリなどの記録媒体に、映像信号をファイル化して記録する装置が一般的になり、記録媒体の大容量化に伴い、記録時間も拡大している。しかし、単一の記録媒体の容量は限られるため、複数の記録媒体に映像信号を連続記録し、記録時間の拡大を図る方式が提案されている。
【０００３】
従来の複数の記録媒体に連続して記録する方法としては、複数の光ディスクに映像を途切れなく連続して記録する方法があった（例えば、特許文献１参照。）。
【０００４】
前記従来例では、光ディスク記録装置内にサブディスクを設けることによって、メインディスクを入れ替えている間にも録画を継続できるものであり、メインディスクを順次入れ替えることにより、長時間の記録を実現する。さらに、光ピックアップがメインディスクとサブディスクとの間の移動中においても、バッファメモリによって、連続して入力されてくるＴＶ放送の映像音声信号などの記録データを、欠落させることなく録画する。
【０００５】
【特許文献１】特許第２９１０６９７号公報（第１図）
【発明の開示】
【発明が解決しようとする課題】
【０００６】
上記の記録方法では、録画時に複数のメインディスクおよびサブディスクのそれぞれの録画開始アドレスと録画終了アドレスとを記録装置の情報メモリに格納し、再生時はこの内容に従って順次再生するという構成をとっている。このため、連続記録された複数の記録媒体のみを取り出して、別の装置で連続再生することは困難であった。
【０００７】
本発明の目的は、連続する映像信号又は音声信号のストリームを複数の記録媒体にわたって連続記録した場合に、その連続記録された複数の記録媒体のみを取り出し、別の装置で連続再生できるようにすることである。
【課題を解決するための手段】
【０００８】
上記課題は、以下の本発明によって解決される。すなわち、本発明に係る記録装置は、連続する映像信号又は音声信号のストリームを第１ストリーム及び第２ストリームに時間分割し、前記第１ストリームを第１ファイルとして第１記録媒体に記録し、前記第２ストリームを第２ファイルとして第２記録媒体に記録する記録装置であって、
前記第２記録媒体を特定する媒体固有の製造記号番号に関する第１管理情報を前記第１ファイルと関連付けて前記第１記録媒体に記録するか、又は、
前記第１記録媒体を特定する媒体固有の製造記号番号に関する第２管理情報を前記第２ファイルと関連付けて前記第２記録媒体に記録する。
【０００９】
本構成によって、連続する映像信号又は音声信号のストリームを複数の記録媒体にわたって記録した場合に、その複数の記録媒体を別の装置で再生する場合でも、第１又は第２管理情報を参照することで、個々の映像ファイルの前後関係が明確になり、複数記録媒体を使用した連続再生が可能になる。また、個々の記録媒体の映像ファイルは独立しているため、記録媒体単独でも再生が可能である。
【発明の効果】
【００１０】
本発明の記録装置では、連続する映像信号又は音声信号のストリームを複数の記録媒体にわたって連続して記録する場合でも、それぞれの記録媒体の映像ファイル又は音声ファイルに関連付けられた管理情報ファイルは、それぞれの記録媒体ごとに独立して記録されている。そこで、個々の記録媒体１個のみを取り出した場合でも、クリップとして再生することができる。また、各記録媒体の管理情報ファイルに各クリップの前後のクリップの情報を管理情報として記録するため、複数の記録媒体から連続するクリップを結合して連続再生をすることが容易に可能である。
【００１１】
また、個々の記録媒体について映像信号の記録が完了する時点で、前後の映像ファイルの情報は確定しており、管理情報ファイルの記録も完了することが出来る。したがって映像ファイルの記録が完了すれば、その記録媒体を外すことが可能であり記録済みの媒体を新規の媒体と逐次交換することで時間制限の無い連続記録動作が可能となる。
【発明を実施するための最良の形態】
【００１２】
以下、添付図面を参照しながら本発明の実施の形態を説明する。なお、図面において、実質的に同一の部材には同一の符号を付している。
【００１３】
（実施の形態１）
図１は、本発明の実施の形態１の映像又は音声の記録再生装置１００の構成を示すブロック図である。この記録再生装置１００は、システム制御部１０１と、Ｉ／Ｏバス１２０と、ユーザに対して記録再生の状態を表示する表示手段１２２と、着脱可能な複数の記録メモリ１１１〜１１３と、記録メモリと接続する記録メモリＩ／Ｆ部１１０と、ユーザによるファイルの記録や再生の指示を受け付ける入力手段１３０と、映像信号を入力する映像入力手段１３２と、映像信号の符号化を行うエンコーダ１３１と、音声信号を入力する音声入力手段１３５と、映像信号を復号化するデコーダ１３３と、復号化された映像信号を出力する映像出力手段１３４と、音声信号を出力する音声出力手段１３６とを含む。
【００１４】
システム制御部１０１は、例えば、ＣＰＵとメモリとを含むコンピュータによって実現される。このシステム制御部１０１には、映像ファイル処理手段１０２、音声ファイル処理手段１０３、Ｉｎｄｅｘファイル処理手段１０４、記録メモリ処理手段１０５、ファイルシステム１０６、ファイルシステム用メモリ１０７、記録バッファメモリ１０８、再生バッファメモリ１０９を備えている。システム制御部１０１に含まれる各手段は、ＣＰＵで各種のプログラムを実行することによって実現される。システム制御部１０１に含まれる各メモリは、例えば、それぞれの用途ごとについてそれぞれメモリを用いてもよく、また、単一のメモリを用途ごとに領域を分けて使うことによって実現してもよい。
【００１５】
映像入力手段１３２から入力された映像信号は、エンコーダ１３１で例えばＳＭＰＴＥ−３１４Ｍ（ＤＶ−Ｂａｓｅｄ  ２５Ｍ）の圧縮処理により約１／５の符号量に圧縮される。映像ファイル処理手段１０２では、圧縮されたＳＭＰＴＥ−３１４Ｍの圧縮データを１フレーム単位を基準としてファイル化する（ＤＩＦ形式ファイル）。ＮＴＳＣの場合、ＤＩＦ形式ファイルは１フレームあたりのデータ量は、固定量の１２００００Ｂｙｔｅとなる。
【００１６】
図２の（ａ）にＤＩＦ形式ファイルの構造を示す。ファイルのヘッダ等は無く、フレームの順に圧縮データが並んでいる構造であるため、Ｎフレーム記録時のファイルサイズは上記１フレームあたりの符号量のＮ倍となる。
【００１７】
また、ＤＩＦ形式ファイルの中では音声２チャンネルを格納出来るが、本実施の形態ではＤＩＦ形式ファイル内の音声データは使用せず、別ファイルとして記録する。これは、放送局などの業務用途の編集作業では、映像と音声を独立しての編集作業を行うことが多く、業務用途のノンリニア編集機では映像と音声を別ファイルとするのが一般的なためである。
【００１８】
音声入力手段１３５から入力された音声データは、音声ファイル処理手段１０３によってＷａｖｅ形式でファイル化される。Ｗａｖｅ形式ファイルの一例を図２（ｂ）に示す。Ｗａｖｅファイルは、ＲＩＦＦ（Ｒｅｓｏｕｒｃｅ  Ｉｎｔｅｒｃｈａｎｇｅ  Ｆｉｌｅ  Ｆｏｒｍａｔ）の一つであり、複数のチャンクで構成されている。各チャンクは４文字のＩＤ（ＡＳＣＩＩ  ４Ｂｙｔｅ）と４バイトのチャンクデータサイズ、そして実際のチャンクデータで構成される。ファイルの先頭にはＲＩＦＦチャンクがあり、Ｗａｖｅ形式であることを表している。ｆｍｔチャンクではファイルに格納されている音声データのサンプル周波数、量子化数などの構造が格納されている。ｄａｔａチャンクにチャンクＩＤとチャンクサイズに続いて実際の音声データが格納されている。音声の量子化数を１６ｂｉｔとした場合のファイルサイズは以下のようになる。
ＲＩＦＦ  ＋  ｆｍｔ  ＋８  ＋（Ｍ×２）  Ｂｙｔｅ
ＲＩＦＦ＝ＲＩＦＦチャンクのバイト数
ｆｍｔ  ＝ｆｍｔチャンクのバイト数
Ｍ  ＝音声データの総サンプル数
【００１９】
音声ファイルはＣＨ独立で記録する。従って、記録する音声のチャンネル数が２チャンネルの場合は、Ｗａｖｅファイルをチャンネル毎に独立して２個記録する。
【００２０】
記録メモリ１１１〜１１３は、例えばＰＣＭＣＩＡの形状で脱着可能な構成となっており、記録メモリ１１１〜１１３と記録メモリＩ／Ｆ部１１０とは、例えばカードバスにより接続される。連続記録を円滑に行うためには少なくとも２つ以上のカードバスを有していることが好ましい。ここでは３つのカードバスを有しているが、３つに限られず、４つ以上のカードバスを有していてもよい。
【００２１】
記録メモリ１１１〜１１３はＦＡＴ１６等のファイルシステムでフォーマットされており、記録メモリへのファイルの書き込みは、システム制御部１０１内のファイルシステム１０６によりＦＡＴの管理情報の更新と、記録メモリへのデータ書き込み動作により行われる。
【００２２】
記録メモリ１１１〜１１３のそれぞれの空き容量は、記録メモリ処理手段１０５によってファイルシステム１０６を介して確認する。また、映像音声記録時において、複数の記録メモリの中からの記録対象メモリの指定は、記録メモリ処理手段１０５によって行う。
【００２３】
映像と音声の記録動作は、入力手段１３０からの指示に従って行う。記録開始の指示があった場合は、映像を記録する１個のＤＩＦ形式映像ファイルと、音声を記録する２個のＷａｖｅファイルをＯｐｅｎし、データを記録していく。この際、映像の記録開始時刻と音声の記録開始時刻を同期させる。
【００２４】
また、記録メモリへのデータ書き込みは、記録動作の停止指示があった場合に終了し、上記ファイルをＣｌｏｓｅする。従って、この一連の記録動作（１クリップ）の実行により映像ファイル１個と音声ファイル２個が新規に作成される。ここで、記録時における映像ファイルと音声ファイルの同期の一例を図３に示す。フレーム周波数２９．９７ＨｚのＮＴＳＣの場合、音声のサンプリング周波数を４８ｋＨｚとすると１フレーム時間での音声サンプル数は整数とならず、５フレーム時間で整数となる。音声のＷａｖｅ形式ファイルでは、映像のフレーム周期は記述しないが、映像との同期をとる為、５フレーム周期でフレームあたりのサンプル数を、１６００、１６０２、１６０２、１６０２、１６０２と変化させてカウントし、記録開始から終了までのサンプル数をこの５フレームを基準に算出する。この５フレームの繰り返しの位相をシーケンスＮＯ．で表すので、シーケンスＮＯ．は０〜４の繰り返しとなる。従って、１フレームあたりのデータサイズは以下のようになる。
１６００×２  Ｂｙｔｅ  （シーケンスＮＯ．＝０）
１６０２×２  Ｂｙｔｅ  （シーケンスＮＯ．＝１、２、３、４）
【００２５】
これらの式により、所定のフレーム数のＷａｖｅファイルのファイルサイズを算出することが可能になる。また、記録開始時のシーケンスＮＯ．は０とする。
【００２６】
また、クリップ記録終了の際には、クリップの管理情報が記述されているＩｎｄｅｘファイルの更新がＩｎｄｅｘファイル処理手段１０４により行われる。図４にＩｎｄｅｘファイルと映像ファイル、音声ファイル、クリップの関係を示す。
【００２７】
Ｉｎｄｅｘファイルは記録メモリ１個に付き１ファイル記録され、記録メモリ内に含まれるクリップの情報、クリップと映像ファイル、音声ファイルのリンク関係等を表す。
【００２８】
図５にＩｎｄｅｘファイルの記述の一例、図６にＩｎｄｅｘファイルの各要素を示す。Ｉｎｄｅｘファイルには、記録メモリ固有の情報を表すＭｅｄｉａ  Ｉｎｄｅｘとクリップ毎の固有の情報を表すＣｌｉｐ  Ｉｎｄｅｘの２階層のデータが含まれ、それぞれ図６に表される要素を記述している。Ｉｎｄｅｘファイルはテキスト形式のファイルとして記録され、それぞれの要素の区切りはカンマで区切られている。なお、Ｉｎｄｅｘファイルはテキスト形式で記述する場合に限られない。
【００２９】
Ｍｅｄｉａ  Ｉｎｄｅｘ中のＭｅｄｉａ  ＩＤはメディア（媒体）毎にユニークとなるように付加されるＩＤであり、例えばメディアをフォーマットする際に、フォーマット時の時刻及び機器のＩＤ等の組み合わせにより固有のＩＤを付加することが出来る。また、記録メモリ製造時に、記録メモリ１１１、１１２、１１３内部の制御メモリ１１４に固有のシリアル番号が付与される場合がある。そこで、このシリアル番号を媒体固有の認識ＩＤとしてＭｅｄｉａ  ＩＤとすることもできる。
【００３０】
記録メモリ１１１、１１２、１１３のシリアル番号をＭｅｄｉａ  ＩＤとして用いる場合の動作は次のようになる。まず、記録メモリ１１１、１１２、１１３が記録装置に挿入されると、記録装置はあらかじめ定められた特定のコマンドを用いて、記録メモリ１１１、１１２、１１３内部の制御メモリ１１４に記録されているシリアル番号を読み取り、記録装置内に一時保存する。そして、Ｍｅｄｉａ  Ｉｎｄｅｘを更新する際に記録装置内に一時保存したシリアル番号を読み出して認識ＩＤとしＭｅｄｉａ  ＩＤに記録する。
【００３１】
なお、本実施例では、この固有の制御メモリ１１４に記録されたシリアル番号をそのまま用いたが、記録メモリ１１１、１１２、１１３が記録装置等に挿入されて初期化される場合に、制御メモリ１１４からシリアル番号を読み出して通常データアクセスを行なうファイルシステムの管理部分、または特定の管理ファイル内に、そのままあるいは一部機器が修正や追加等行なったものを記録した認識ＩＤを用いてもよい。これにより、通常データアクセスを行なうファイルシステムの管理部分や特定のファイルにアクセスするので、記録メモリ１１１、１１２、１１３内の制御メモリ１１４にアクセスするより読み出しがスムースに行なえるというメリットがある。
【００３２】
また、本実施例では、記録メモリ１１１、１１２、１１３が挿入されると記録装置は認識ＩＤを読取りに行くとしたが、これに限られない。例えば、記録メモリ１１１、１１２、１１３にクリップを記録する命令が実行された場合や記録メモリ１１１、１１２、１１３が書き込み可能である場合にのみ、機器が記録メモリの認識ＩＤを読み取るようにしてもよい。このことにより、不要な認識ＩＤの読取り動作を減らすことができる。
【００３３】
Ｍｅｄｉａ  Ｔｉｔｌｅはユーザが任意に付加することの出来るメディア固有のタイトルであり、ユーザが認識し易い名前を自由に付加することが出来る。なお、機器内でのメディアの特定はＭｅｄｉａ  ＩＤによるため、Ｍｅｄｉａ  Ｔｉｔｌｅは映像ファイルや音声ファイルが記録された状態でも自由に変更してもよい。
【００３４】
Ｃｌｉｐ  Ｉｎｄｅｘ中のＣｌｉｐ  ＩＤはクリップ毎にユニークとなるように付加されるＩＤであり、例えばクリップの記録をする際に、記録開始時の時刻及び機器のＩＤ等の組み合わせにより固有のＩＤを付加することが出来る。映像ファイルおよび音声ファイルとクリップとの関連付けはこのＣｌｉｐ  ＩＤをファイル名に記述することで行う。例えばＣｌｉｐ  ＩＤがＣ００１の映像ファイルはＣ００１．ＤＩＦとし、音声２ＣＨ分のファイルはそれぞれＣ００１＿１．ＷＡＶ、Ｃ００１＿２．ＷＡＶとすることによってクリップと映像及び音声ファイルとを関連付けることができる。
【００３５】
Ｃｌｉｐ  Ｔｉｔｌｅはユーザが任意に付加することの出来るクリップ固有のタイトルであり、ユーザが認識し易い名前を自由に付加してもよい。なお、機器内でのクリップの特定はＣｌｉｐ  ＩＤによるため、Ｃｌｉｐ  Ｔｉｔｌｅは映像ファイルや音声ファイルが記録された状態でも自由に変更してもよい。
【００３６】
ＵＭＩＤ（Ｕｎｉｑｕｅ  Ｍａｔｅｒｉａｌ  Ｉｄｅｎｔｉｆｉｅｒ）はＳＭＰＴＥ３３０にて規定されている素材（ストリーム）を特定する為のＩＤであり、Ｃｌｉｐ単位でユニークなＵＭＩＤを設定する。
【００３７】
Ｆｒａｍｅ  Ｒａｔｅは映像信号のフレーム周波数を表し、Ｄｕｒａｔｉｏｎはクリップに含まれるフレーム数を表す。また、Ｆｒａｍｅ  ＲａｔｅとＤｕｒａｔｉｏｎによりクリップ全体の記録時間を計算することが可能である。
【００３８】
Ｓｅｑｕｅｎｃｅ  ＮＯ．はクリップ先頭でのシーケンスＮＯ．を表し、記録開始時間とクリップの先頭が同一となる通常の記録動作では０となるが、複数の記録メモリに連続記録する場合は後述する。
【００３９】
Ｏｆｆｓｅｔは記録開始からクリップの先頭までの時間を表し、Ｓｅｑｕｅｎｃｅ  ＮＯ．と同様に、記録開始時間とクリップの先頭が同一となる通常の記録動作では０となる。なお、複数の記録メモリに連続記録する場合のＯｆｆｓｅｔの設定については後述する。また、Ｐｒｅｖｉｏｕｓ  Ｃｌｉｐ、Ｎｅｘｔ  Ｃｌｉｐについても後述する。
【００４０】
次に、この連続する映像信号及び／又は音声信号のストリームを複数の記録媒体にわたって連続して記録する方法について、図１３から図１６のフローチャートを用いて説明する。
【００４１】
まず、映像信号又は音声信号のストリームを複数の記録媒体にわたって連続して記録する方法について図１３を用いて説明する。この場合の記録方法は以下のステップからなる。
（ａ）連続する映像信号又は音声信号のストリーム（素材）を第１ストリーム及び第２ストリームに時間分割する（Ｓ０１）。この場合、あらかじめストリーム全体の容量が分かっていて、２つの記録媒体（第１記録媒体と第２記録媒体）のそれぞれに記録できる容量のストリームが計算できる場合である。なお、ストリーム全体を実際に２つのストリームに分ける場合に限られず、仮想的に２つのストリームに分割する場合も含む。
（ｂ）上記第１ストリームを第１ファイルとして第１記録媒体に記録する（Ｓ０２）。
（ｃ）第２記録媒体に関する第１管理情報を第１ファイルと関連付けて第１記録媒体に記録する（Ｓ０３）。この管理情報としては、例えば、上述のシリアル番号を用いることができ、さらにシリアル番号に基づいて定めた認識ＩＤを用いてもよい。また、ここでは第１ファイルの記録後に次の記録媒体に関する管理情報を記録しているが、逆に次の記録媒体に関する管理情報を記録した後、第１ファイルを記録してもよい。
（ｄ）記録先を第１記録媒体から第２記録媒体に切り替える（Ｓ０４）。なお、記録バッファメモリ１０８の容量が十分にある場合には、第１記録媒体への記録と並行して第２記録媒体への記録を行ってもよい。
（ｅ）第２ストリームを第２ファイルとして第２記録媒体に記録する（Ｓ０５）。
（ｆ）第１記録媒体に関する第２管理情報を第２ファイルと関連付けて第２記録媒体に記録する（Ｓ０６）。ここでは、ステップＳ０３とステップＳ０５とをそれぞれ行う場合を示しているが、ステップＳ０３とステップＳ０６のうちいずれか一方のみを行ってもよい。なお、第１又は第２管理情報は管理情報ファイルとして記録することが好ましい。
【００４２】
次に、映像信号及び音声信号のストリームを互いに同期させて複数の記録媒体にわたって連続して記録する方法について図１４を用いて説明する。この場合の記録方法は以下のステップからなる。
（ａ）連続する映像信号のストリームと連続する音声信号のストリームとを、互いに同期した第１映像ストリーム及び第１音声ストリームと、互いに同期した第２映像ストリーム及び第２音声ストリームとに時間分割する（Ｓ１１）。
（ｂ）第１映像ストリーム及び第１音声ストリームを第１映像ファイル及び第１音声ファイルとして第１記録媒体に記録する（Ｓ１２）。第１映像ファイルと第２映像ファイルとは互いに同期させる。具体的には、それぞれの記録開始時刻及び記録終了時刻を同一にする。さらに、映像信号のフレーム周波数と音声信号のサンプル周波数とが互いに異なる場合には所定数の映像フレームごとに所定のサンプル数の音声信号を対応させて映像信号と音声信号とを互いに同期させることが好ましい。
（ｃ）第２記録媒体に関する第１管理情報を第１映像ファイル及び音声ファイルと関連付けて第１記録媒体に記録する（Ｓ１３）。
（ｄ）記録先を第１記録媒体から第２記録媒体に切り替える（Ｓ１４）。なお、記録バッファメモリ１０８の容量が十分にある場合には、第１記録媒体への記録と並行して第２記録媒体への記録を行ってもよい。
（ｅ）第２映像ストリーム及び第２音声ストリームを第２映像ファイル及び第２音声ファイルとして前記第２記録媒体に記録する（Ｓ１５）。
（ｆ）第１記録媒体に関する第２管理情報を第２映像ファイル及び前記第２音声ファイルと関連付けて第２記録媒体に記録する（Ｓ１６）。
【００４３】
また、映像信号又は音声信号のストリームを順次、複数の記録媒体にわたって連続して記録する方法について図１５を用いて説明する。この場合の記録方法は以下のステップからなる。
（ａ）連続する映像信号又は音声信号のストリームを順次、第１ファイルとして第１記録媒体に記録する（Ｓ２１）。例えば、ストリーム全体の容量が不明であって、入力されるストリームを順次記録していく場合である。
（ｂ）記録先を第１記録媒体から第２記録媒体に切り替えるか否かを判断する（Ｓ２２）。例えば、記録バッファメモリ１０８に蓄積された記録すべきストリームの残りと第１記録媒体の残量とを比較し、第１記録媒体の残量より記録すべきストリームの残りが多い場合には記録先を切り替える。なお、記録バッファメモリ１０８の容量が十分にある場合には、第１記録媒体への記録と並行して第２記録媒体への記録を行ってもよい。第１記録媒体の残量が十分あれば記録先を切り替えないでステップＳ２１に戻る。
（ｃ）第２記録媒体に関する第１管理情報を第１ファイルと関連付けて第１記録媒体に記録する（Ｓ２３）。
（ｄ）記録先を第１記録媒体から第２記録媒体に切り替える（Ｓ２４）。上述のように第１記録媒体への記録と並行して第２記録媒体への記録を行う場合にはこのステップＳ２４はスキップする。
（ｅ）上記ストリームのうち第１ファイルに続く箇所を順次、第２ファイルとして第２記録媒体に記録する（Ｓ２５）。
（ｆ）第１記録媒体に関する第２管理情報を第２ファイルと関連付けて第２記録媒体に記録する（Ｓ２６）。ここでは、ステップＳ２３とステップＳ２６とをそれぞれ行う場合を示しているが、ステップＳ２３とステップＳ２６のうちいずれか一方のみを行ってもよい。
【００４４】
さらに、映像信号及び音声信号のストリームを順次、互いに同期させて複数の記録媒体にわたって連続して記録する方法について図１６を用いて説明する。この場合の記録方法は以下のステップからなる。
（ａ）連続する映像信号及び音声信号のストリームを順次、互いに同期する第１映像ファイル及び第１音声ファイルとして第１記録媒体に記録する（Ｓ３１）。
（ｂ）記録先を第１記録媒体から第２記録媒体に切り替えるか否かを判断する（Ｓ３２）。なお、記録バッファメモリ１０８の容量が十分にある場合には、第１記録媒体への記録と並行して第２記録媒体への記録を行ってもよい。
（ｃ）第２記録媒体に関する第１管理情報を第１映像及び音声ファイルと関連付けて第１記録媒体に記録する（Ｓ３３）。
（ｄ）記録先を第１記録媒体から第２記録媒体に切り替える（Ｓ３４）。上述のように第１記録媒体への記録と並行して第２記録媒体への記録を行う場合にはこのステップＳ３４はスキップする。
（ｅ）上記ストリームのうち第１映像及び音声ファイルに続く箇所を順次、互いに同期する第２映像ファイル及び第２音声ファイルとして第２記録媒体に記録する（Ｓ３５）。
（ｆ）第１記録媒体に関する第２管理情報を第２映像及び音声ファイルと関連付けて第２記録媒体に記録する（Ｓ３６）。
【００４５】
この実施の形態における記録方法によれば、上述したように、連続する映像信号及び／又は音声信号のストリームを複数の記録媒体にわたって記録した場合に、前後の記録媒体に関する管理情報を映像ファイル又は音声ファイルに関連付けて各記録媒体に記録している。そこで、その複数の記録媒体を別の装置で再生する場合でも、各記録媒体に記録された管理情報を参照することで、個々の映像ファイル及び／又は音声ファイルの前後関係が明確になり、複数記録媒体を使用した連続再生が可能になる。また、個々の記録媒体の映像ファイルは独立しているため、記録媒体単独でも再生できる。
【００４６】
なお、上記各ステップをコンピュータに実行させる記録プログラムとしてもよい。さらに、この記録プログラムをコンピュータ読み取り可能な記録媒体に記録してもよい。記録媒体としてはメモリカード等の半導体メモリ、ＣＤ−Ｒ，ＤＶＤ等の光記録媒体、ＭＯ等の光磁気記録媒体、フレキシブルディスク等の磁気記録媒体等のいずれであってもよい。上記のようにコンピュータに実行させる記録プログラム及び該記録プログラムを記録した記録媒体から記録プログラムを読み出して実行することによって、コンピュータを記録装置の制御部として駆動させることができる。
【００４７】
さらに、連続する映像信号及び／又は音声信号のストリームを複数の記録媒体にわたって記録する上記記録方法について、より具体的な実施例として以下に説明する。
【００４８】
記録を開始する直前では、３個の記録メモリの状態は図７に示すようになっている。図７は、各記録メモリの内部のファイル構成を示しており、記録メモリ１１１（Ｍｅｄｉａ  ＩＤ  Ｍ００１）には、Ｃｌｉｐ  ＩＤ  Ｃ００１が記録されており、ファイルとしては、映像ファイルＣ００１．ＤＩＦ、音声ファイルＣ００１＿１．ＷＡＶおよびＣ００１＿２．ＷＡＶ、そしてＩｎｄｅｘファイルＩｎｄｅｘ．ｔｘｔが記録されており、それ以外は空きである。記録メモリ１１２（Ｍｅｄｉａ  ＩＤ  Ｍ００２）、および１１３（Ｍｅｄｉａ  ＩＤ  Ｍ００３）にはＩｎｄｅｘファイルＩｎｄｅｘ．ｔｘｔのみが記録されている。また、図８に記録時の映像ファイルと音声ファイル及びクリップの関係を示す。
【００４９】
映像記録を開始するにあたっては、カメラレコーダでの記録等、記録終了までの時間が確定していないことが多い。従って、記録動作の開始時点では１個の記録メモリで記録が終了するかどうかは不明である。しかし前述したように１フレームあたりの映像ファイルと音声ファイルのデータ量は確定しているため、映像信号のストリームを記録メモリ１１１に記録する時点で記録メモリ１１１に記録出来る時間Ｔ１（フレーム）を計算することが出来る。ここで、Ｔ１はＭｅｄｉａ  ＩＤ  Ｍ００１において映像ファイルおよび、音声ファイル２ＣＨを全て記録出来る最大の時間である。記録中にＴ１（フレーム）を超える場合は、Ｍｅｄｉａ  ＩＤ  Ｍ００１でのＣｌｉｐ  ＩＤ  Ｃ００２は終了し、新規の記録メモリ（Ｍｅｄｉａ  ＩＤ  Ｍ００２）に新規のクリップ（Ｃｌｉｐ  ＩＤ  Ｃ００１）が作成され、ストリームが２つの記録メモリにわたって連続して記録される。ここで、フレーム単位の音声ファイルのサンプル数を示すＳｅｑｕｅｎｃｅ  ＮＯ．は、Ｍｅｄｉａ  ＩＤ  Ｍ００１の記録メモリ中のＣｌｉｐ  ＩＤ  Ｃ００２とＭｅｄｉａ  ＩＤ  Ｍ００２の記録メモリ中のＣｌｉｐ  ＩＤ  Ｃ００１とで連続となるように記録される。
【００５０】
Ｍｅｄｉａ  ＩＤ  Ｍ００２の記録メモリにおいても予め計算されている記録可能な時間Ｔ２フレームを超えた場合は、上記と同様にＭｅｄｉａ  ＩＤ  Ｍ００３の記録メモリに連続して記録を行う。この場合もＳｅｑｕｅｎｃｅ  ＮＯ．は、Ｍｅｄｉａ  ＩＤ  Ｍ００２の記録メモリのＣｌｉｐ  ＩＤ  Ｃ００１とＭｅｄｉａ  ＩＤ  Ｍ００３の記録メモリ中のＣｌｉｐ  ＩＤ  Ｃ００１とで連続となるように記録される。
【００５１】
Ｍｅｄｉａ  ＩＤ  Ｍ００３の記録メモリでの記録時間がＴ３フレームで終了した場合、図８に示すように３個のメディアに渡る３個のクリップとして記録される。それぞれの記録メモリに記録されたファイルを図９に示す。また、図１０にそれぞれの記録メモリにおけるＩｎｄｅｘファイルの内容を示す。
【００５２】
図６に示すＩｎｄｅｘファイル内の各要素の中でＰｒｅｖｉｏｕｓ  Ｃｌｉｐは直前に接続するクリップのＭｅｄｉａ  ＩＤとＣｌｉｐ  ＩＤを示し、Ｎｅｘｔ  Ｃｌｉｐは直後に接続するＭｅｄｉａ  ＩＤとＣｌｉｐ  ＩＤを示す。
【００５３】
従って図１０に示すように、３個の記録メモリに分割された３個のクリップはＩｎｄｅｘファイルにより以下の接続情報を表す。
・Ｐｒｅｖｉｏｕｓ  Ｃｌｉｐ
Ｍｅｄｉａ  ＩＤ  Ｍ００１  Ｃｌｉｐ  ＩＤ  Ｃ００２の直前のクリップ
＝  ＮＵＬＬ（データなし）
Ｍｅｄｉａ  ＩＤ  Ｍ００２  Ｃｌｉｐ  ＩＤ  Ｃ００１の直前のクリップ
＝  Ｍｅｄｉａ  ＩＤ  Ｍ００１  Ｃｌｉｐ  ＩＤ  Ｃ００２
Ｍｅｄｉａ  ＩＤ  Ｍ００３  Ｃｌｉｐ  ＩＤ  Ｃ００１の直前のクリップ
＝  Ｍｅｄｉａ  ＩＤ  Ｍ００２  Ｃｌｉｐ  ＩＤ  Ｃ００１
・Ｎｅｘｔ  Ｃｌｉｐ
Ｍｅｄｉａ  ＩＤ  Ｍ００１  Ｃｌｉｐ  ＩＤ  Ｃ００２の直後のクリップ
＝  Ｍｅｄｉａ  ＩＤ  Ｍ００２  Ｃｌｉｐ  ＩＤ  Ｃ００１
Ｍｅｄｉａ  ＩＤ  Ｍ００２  Ｃｌｉｐ  ＩＤ  Ｃ００１の直後のクリップ
＝  Ｍｅｄｉａ  ＩＤ  Ｍ００３  Ｃｌｉｐ  ＩＤ  Ｃ００１
Ｍｅｄｉａ  ＩＤ  Ｍ００３  Ｃｌｉｐ  ＩＤ  Ｃ００１の直後のクリップ
＝  ＮＵＬＬ（データなし）
【００５４】
また、Ｏｆｆｓｅｔには記録開始時から、そのＣｌｉｐの先頭の時間をフレーム単位で記述する。連続した複数のクリップの中で、先頭のクリップ（Ｍｅｄｉａ  ＩＤ  Ｍ００１  Ｃｌｉｐ  ＩＤ  Ｃ００２）のＯｆｆｓｅｔは０となる。２番目のクリップ（Ｍｅｄｉａ  ＩＤ  Ｍ００２  Ｃｌｉｐ  ＩＤ  Ｃ００１）のＯｆｆｓｅｔはＴ１となる。３番目のクリップ（Ｍｅｄｉａ  ＩＤ  Ｍ００３  Ｃｌｉｐ  ＩＤ  Ｃ００１）のＯｆｆｓｅｔは、Ｔ１＋Ｔ２となる。
【００５５】
また、連続する３個のクリップのＵＭＩＤには、図１０に示すように（ＵＭＩＤ１）として同一のＩＤを与えることにより、後の編集工程等で３個のクリップを連結する際にＵＭＩＤの統一性を保つことが出来る。
【００５６】
以上のような構成により、複数の記録メモリに連続して映像又は音声を記録した場合でも、個別の記録メモリのＩｎｄｅｘファイルを参照することで、前後に相当する記録メモリ及びクリップを特定することが可能であり、連続クリップの再生が容易になる。また、記録開始からクリップ先頭までの時間をＯｆｆｓｅｔにより得ることが出来るため、一部のクリップしか得られない場合でも、連続記録の時間を知ることができる。さらに、分割されたクリップ同士が同一のＵＭＩＤを持つため、複数に分割されたクリップの一部のみが存在する場合でも、ＵＭＩＤの同一性からクリップ同士が連続する同一の記録であることを確認出来る。
【００５７】
なお、本実施の形態では圧縮方式としてＳＭＰＴＥ−３１４Ｍについて説明したが、フレーム内で固定長の圧縮方式であれば同様の効果が得られることは明らかである。
【００５８】
（実施の形態２）
実施の形態２では、映像圧縮方式としてフレーム毎に符号量が可変であり、フレーム間圧縮を用いた方式として、ＭＰＥＧ−２の可変長符号化（ＶＢＲ）を用いた場合を一例として説明する。映像ファイルサイズの算出方法と記録メモリの切り替えについて詳細に示している点を除いて他の構成については実施の形態１と同様であるので説明を省略する。
【００５９】
ＭＰＥＧ−２のＶＢＲ圧縮では１フレーム毎のデータ量および複数フレームでの符号量は一定しない。従って、記録動作開始時点では、１個の記録メモリに記録出来るフレーム数を算出することは困難である。そこでＧＯＰ単位でファイルサイズの予測を行い、メディアに記録出来るフレーム数を算出する。
【００６０】
図１１に映像ファイルと音声ファイルのファイルサイズが記録時間により増加する様子を表す。各ＧＯＰの開始時点で以下の式により連続する２ＧＯＰ終了時点のファイルサイズ増加量（Ｄｔ）を予測する。
Ｄｔ＝（Ｄａ×２Ｍ）＋（（Ｒｍａｘ／Ｆｎｕｍ）×２Ｍ）
Ｍ：１ＧＯＰのフレーム数
Ｄａ：１フレーム単位でのＡｕｄｉｏデータサイズ
Ｒｍａｘ：ＶＢＲでのＭＰＥＧの最大レート（Ｍａｘレート）
Ｆｎｕｍ：フレーム周波数
【００６１】
ここでＭＰＥＧのＶＢＲ記録の場合、符号化データの転送レートの最大値はＭａｘレートで規定されており、その転送レートを超えることは無い。Ｍａｘレートをフレーム周波数で割ることにより１フレーム毎の最大のデータ量とすることが出来る。図１１に示すように、現時点での記録メモリの残容量に対して、Ｄｔの値が大きい場合、これから記録するＧＯＰで現在の記録メモリへの書き込みを終了し、次のＧＯＰから別のクリップとして次の記録メモリへの書き込みを行う。また、この記録メモリの最後のＧＯＰはＣｌｏｓｅｄ  ＧＯＰとする。
【００６２】
図１２に記録メモリの切り替えの様子を示す。記録メモリを切り替えて記録する場合には、ＧＯＰの境界と必ず一致させ、さらに記録メモリの最終のＧＯＰはＣｌｏｓｅｄ  ＧＯＰのため、最終のフレームはＰピクチャーとなる。
【００６３】
また、音声ファイルについては、図１２に示すように実施の形態１と同様に映像ファイルの記録開始フレームと記録終了フレームとにそれぞれ一致させて記録する。
【００６４】
なお、全ての実施の形態で記録媒体として半導体メモリを例として説明したが、光ディスク、ハードディスク等他の記録媒体においても同様の効果があることは明らかである。
【００６５】
図１７は、本発明の実施の形態２において、記録先を切り替えるか否かを判断するステップのフローチャートである。具体的には、実施の形態１における図１５のステップＳ２２、又は、図１６のステップＳ３２を具体化したフローチャートである。図１７のフローチャートについて、以下に説明する。
（ａ）映像信号がＭＰＥＧ圧縮された映像信号である場合に、各ＧＯＰの開始時点で下記式により連続する２ＧＯＰ終了時点における第１映像ファイル及び第１音声ファイルのファイルサイズ増加量Ｄｔを予測する（Ｓ４１）。
Ｄｔ＝（Ｄａ×２Ｍ）＋（（Ｒｍａｘ／Ｆｎｕｍ）×２Ｍ）
Ｍ：１ＧＯＰのフレーム数、
Ｄａ：１フレーム単位でのＡｕｄｉｏデータサイズ、
Ｒｍａｘ：ＶＢＲでのＭＰＥＧの最大レート（Ｍａｘレート）、
Ｆｎｕｍ：フレーム周波数
（ｂ）第１記録媒体の記録可能な残量と増加量Ｄｔとを比較する（Ｓ４２）。
（ｃ）残量が前記Ｄｔより少ない場合（残量＜Ｄｔ）には記録先の切り替えを行う（Ｓ４３）。
（ｄ）残量がＤｔ以上の場合（残量≧Ｄｔ）には、記録先の切り替えを行わない（Ｓ４４）。この場合には、図１５の場合にはステップＳ２１に戻って第１ファイルとして第１記録媒体への記録を続ける。図１６の場合にはステップＳ３１に戻って第１映像及び音声ファイルとして第１記録媒体への記録を続ける。
【００６６】
上述のようにＭＰＥＧ圧縮された映像信号のストリームを記録する場合に所定単位で増加する映像ファイルの増加分を上記数式によってあらかじめ予測することができ、記録先の切り替えを判断できる。これによって、記録バッファメモリのオーバフローを起こすことなく映像信号のストリームを複数の記録媒体にわたって連続に記録することができる。
【００６７】
（実施の形態３）
図１８は、実施の形態３に係る映像及び音声の記録再生装置１００ａの構成を示すブロック図である。この記録再生装置１００ａは、実施の形態１に係る記録再生装置と比較すると、記録メモリ１１１、１１２、１１３に固有の製造記号番号であるシリアル番号を検出するシリアル番号検出手段１２４を有する点で相違する。このシリアル番号検出手段１２４によってシリアル番号を検出して各記録メモリ１１１、１１２、１１３を特定できる。これによって、記録メモリの前後の記録メモリを容易に特定できる。
【００６８】
この場合、記録メモリ１１１、１１２、１１３のシリアル番号をＭｅｄｉａ  ＩＤとして用いる。記録メモリ１１１、１１２、１１３のシリアル番号をＭｅｄｉａ  ＩＤとして用いる場合の動作は次のようになる。まず、記録メモリ１１１、１１２、１１３が記録装置に挿入されると、記録装置はシリアル番号検出手段１２４を用いて、記録メモリ１１１、１１２、１１３のシリアル番号を読み取り、記録装置内に一時保存する。そして、一つの記録メモリ１１１から他の記録メモリ１１２、１１３にわたって映像ファイルを分割して記録する際に記録装置内に一時保存したシリアル番号を読み出して認識ＩＤとしＣｌｉｐ  Ｉｎｄｅｘ内のＰｒｅｖｉｏｕｓ  Ｃｌｉｐ及びＮｅｘｔ  ＣｌｉｐのＭｅｄｉａ  ＩＤに記録する。
【００６９】
なお、本実施の形態では、このシリアル番号をそのまま用いたが、記録メモリ１１１、１１２、１１３が記録装置等に挿入されて初期化される場合に、シリアル番号を読み出して通常データアクセスを行なうファイルシステムの管理部分、または特定の管理ファイル内に、そのままあるいは一部機器が修正や追加等行なったものを記録した認識ＩＤを用いてもよい。これにより、通常データアクセスを行なうファイルシステムの管理部分や特定のファイルにアクセスするので、記録メモリ１１１、１１２、１１３から毎回、直接に読み出すよりも読み出しがスムースに行なえるというメリットがある。
【００７０】
また、ここでは、記録メモリ１１１、１１２、１１３が挿入されると記録装置は認識ＩＤを読取りに行くとしたが、これに限られない。例えば、記録メモリ１１１、１１２、１１３にクリップを記録する命令が実行された場合や、記録メモリ１１１、１１２、１１３が書き込み可能である場合にのみ、機器が記録メモリの認識ＩＤを読み取るようにしてもよい。このことにより、不要な認識ＩＤの読取り動作を減らすことができる。
【００７１】
次に、この記録再生装置１００ａにおいて、この連続する映像信号及び／又は音声信号のストリームを複数の記録媒体にわたって連続して記録する方法について、図１９から図２２のフローチャートを用いて説明する。
【００７２】
まず、映像信号又は音声信号のストリームを複数の記録媒体にわたって連続して記録する方法について図１９を用いて説明する。この場合の記録方法は以下のステップからなる。
（ａ）連続する映像信号又は音声信号のストリームを第１ストリーム及び第２ストリームに時間分割する（Ｓ５１）。この場合、あらかじめストリーム全体の容量が分かっていて、２つの記録媒体のそれぞれに記録できる容量のストリームが計算できる場合である。なお、ストリーム全体を実際に２つのストリームに分ける場合に限られず、仮想的に２つのストリームに分割する場合も含む。
（ｂ）上記第１ストリームを第１ファイルとして第１記録媒体に記録する（Ｓ５２）。
（ｃ）第２記録媒体を特定する媒体固有の製造記号番号に関する第１管理情報を第１ファイルと関連付けて第１記録媒体に記録する（Ｓ５３）。この製造記号番号としては、例えば、上述のシリアル番号を用いることができ、さらにシリアル番号に修正を加えた認識ＩＤを用いてもよい。また、ここでは第１ファイルの記録後に次の記録媒体に関する管理情報を記録しているが、逆に次の記録媒体に関する管理情報を記録した後、第１ファイルを記録してもよい。
（ｄ）記録先を第１記録媒体から第２記録媒体に切り替える（Ｓ５４）。なお、記録バッファメモリ１０８の容量が十分にある場合には、第１記録媒体への記録と並行して第２記録媒体への記録を行ってもよい。
（ｅ）第２ストリームを第２ファイルとして第２記録媒体に記録する（Ｓ５５）。
（ｆ）第１記録媒体を特定する媒体固有の製造記号番号に関する第２管理情報を第２ファイルと関連付けて第２記録媒体に記録する（Ｓ５６）。ここでは、ステップＳ５３とステップＳ５５とをそれぞれ行う場合を示しているが、ステップＳ５３とステップＳ５６のうちいずれか一方のみを行ってもよい。なお、第１又は第２管理情報は管理情報ファイルとして記録することが好ましい。
【００７３】
次に、映像信号及び音声信号のストリームを互いに同期させて複数の記録媒体にわたって連続して記録する方法について図２０を用いて説明する。この場合の記録方法は以下のステップからなる。
（ａ）連続する映像信号のストリームと連続する音声信号のストリームとを、互いに同期した第１映像ストリーム及び第１音声ストリームと、互いに同期した第２映像ストリーム及び第２音声ストリームとに時間分割する（Ｓ６１）。
（ｂ）第１映像ストリーム及び第１音声ストリームを第１映像ファイル及び第１音声ファイルとして第１記録媒体に記録する（Ｓ６２）。第１映像ファイルと第２映像ファイルとは互いに同期させる。具体的には、それぞれの記録開始時刻及び記録終了時刻を同一にする。さらに、映像信号のフレーム周波数と音声信号のサンプル周波数とが互いに異なる場合には所定数の映像フレームごとに所定のサンプル数の音声信号を対応させて映像信号と音声信号とを互いに同期させることが好ましい。
（ｃ）第２記録媒体を特定する媒体固有の製造記号番号に関する第１管理情報を第１映像ファイル及び音声ファイルと関連付けて第１記録媒体に記録する（Ｓ６３）。
（ｄ）記録先を第１記録媒体から第２記録媒体に切り替える（Ｓ６４）。なお、記録バッファメモリ１０８の容量が十分にある場合には、第１記録媒体への記録と並行して第２記録媒体への記録を行ってもよい。
（ｅ）第２映像ストリーム及び第２音声ストリームを第２映像ファイル及び第２音声ファイルとして前記第２記録媒体に記録する（Ｓ６５）。
（ｆ）第１記録媒体を特定する媒体固有の製造記号番号に関する第２管理情報を第２映像ファイル及び前記第２音声ファイルと関連付けて第２記録媒体に記録する（Ｓ６６）。
【００７４】
また、映像信号又は音声信号のストリームを順次、複数の記録媒体にわたって連続して記録する方法について図２１を用いて説明する。この場合の記録方法は以下のステップからなる。
（ａ）連続する映像信号又は音声信号のストリームを順次、第１ファイルとして第１記録媒体に記録する（Ｓ７１）。例えば、ストリーム全体の容量が不明であって、入力されるストリームを順次記録していく場合である。
（ｂ）記録先を第１記録媒体から第２記録媒体に切り替えるか否かを判断する（Ｓ７２）。例えば、記録バッファメモリ１０８に蓄積された記録すべきストリームの残りと第１記録媒体の残量とを比較し、第１記録媒体の残量より記録すべきストリームの残りが多い場合には記録先を切り替える。なお、記録バッファメモリ１０８の容量が十分にある場合には、第１記録媒体への記録と並行して第２記録媒体への記録を行ってもよい。第１記録媒体の残量が十分あれば記録先を切り替えないでステップＳ７１に戻る。
（ｃ）第２記録媒体を特定する媒体固有の製造記号番号に関する第１管理情報を第１ファイルと関連付けて第１記録媒体に記録する（Ｓ７３）。
（ｄ）記録先を第１記録媒体から第２記録媒体に切り替える（Ｓ７４）。上述のように第１記録媒体への記録と並行して第２記録媒体への記録を行う場合にはこのステップＳ２４はスキップする。
（ｅ）上記ストリームのうち第１ファイルに続く箇所を順次、第２ファイルとして第２記録媒体に記録する（Ｓ７５）。
（ｆ）第１記録媒体を特定する媒体固有の製造記号番号に関する第２管理情報を第２ファイルと関連付けて第２記録媒体に記録する（Ｓ７６）。ここでは、ステップＳ７３とステップＳ７６とをそれぞれ行う場合を示しているが、ステップＳ７３とステップＳ７６のうちいずれか一方のみを行ってもよい。
【００７５】
さらに、映像信号及び音声信号のストリームを順次、互いに同期させて複数の記録媒体にわたって連続して記録する方法について図２２を用いて説明する。この場合の記録方法は以下のステップからなる。
（ａ）連続する映像信号及び音声信号のストリームを順次、互いに同期する第１映像ファイル及び第１音声ファイルとして第１記録媒体に記録する（Ｓ８１）。
（ｂ）記録先を第１記録媒体から第２記録媒体に切り替えるか否かを判断する（Ｓ８２）。なお、記録バッファメモリ１０８の容量が十分にある場合には、第１記録媒体への記録と並行して第２記録媒体への記録を行ってもよい。
（ｃ）第２記録媒体を特定する媒体固有の製造記号番号に関する第１管理情報を第１映像及び音声ファイルと関連付けて第１記録媒体に記録する（Ｓ８３）。
（ｄ）記録先を第１記録媒体から第２記録媒体に切り替える（Ｓ８４）。上述のように第１記録媒体への記録と並行して第２記録媒体への記録を行う場合にはこのステップＳ８４はスキップする。
（ｅ）上記ストリームのうち第１映像及び音声ファイルに続く箇所を順次、互いに同期する第２映像ファイル及び第２音声ファイルとして第２記録媒体に記録する（Ｓ８５）。
（ｆ）第１記録媒体を特定する媒体固有の製造記号番号に関する第２管理情報を第２映像及び音声ファイルと関連付けて第２記録媒体に記録する（Ｓ８６）。
【００７６】
（実施の形態４）
実施の形態４では、実施の形態１において記録された記録メモリを再生する再生装置及び再生方法について説明する。図１は、映像及び音声の記録再生装置の構成を示すブロック図であり、実施の形態１における記録再生装置とその構成は同じである。この再生装置は、少なくとも第１及び第２ドライブを備える。第１及び第２ドライブは、連続する映像信号又は音声信号のストリームが第１ストリーム及び第２ストリームに時間分割されて第１ストリームが第１ファイルとして記録された第１記録媒体と、第２ストリームが第２ファイルとして記録された第２記録媒体とをそれぞれ格納する。ここで記録媒体は記録メモリであるが、それ以外の記録媒体であってもよい。また、この再生装置は、第１記録媒体から第１ファイルの前後のファイルに関する第１管理情報を取得し、第２記録媒体から第２ファイルの前後のファイルに関する第２管理情報を取得する管理情報取得手段を備える。この管理情報取得手段は、例えば、記録メモリ処理手段１０５である。ここで、管理情報ファイルはＩｎｄｅｘファイルである。さらに、この再生装置は、第１管理情報と第２管理情報とに基づいて、一連のストリームを構成するように連続するファイルの順番を作成する管理情報処理手段を備える。この管理情報処理手段は、例えば、Ｉｎｄｅｘファイル処理手段である。再生装置は、また、各記録媒体に記録された連続するストリームの組を表示する表示手段と、ストリームの組から再生するストリームの選択を入力する入力手段と、入力に従って、ストリームを構成するように前記ファイルの順番に沿って連続再生する再生手段とを備える。
【００７７】
次に、この再生装置における再生方法について説明する。
（ａ）再生動作を行うにあたってシステム制御部１０１は、記録メモリ１１１〜１１３に記録されているＩｎｄｅｘファイルをあらかじめ読み出しておきその内容を解析し（Ｓ９１）、連続するストリーム（素材）ごとに一連の映像又は音声ファイルの順番を作成する。その詳細については後述する。
（ｂ）各記録媒体に記録されている素材（ストリーム）を表示し、再生するストリームの入力を受け付ける（Ｓ９２）。
（ｃ）入力手段１３０により再生する素材の選択及び入力を受け付けた場合、その素材を構成するように上記ファイルの順番に沿って、記録メモリ１１１〜１１３に記録されているＤＩＦ形式の映像ファイル、およびＷａｖｅ形式の音声ファイルを読み出す。また、ＤＩＦ形式の映像ファイルをデコーダ１３３により映像信号に復号し、映像出力手段１３４から出力する。また、Ｗａｖｅ形式の音声ファイルを音声出力手段１３６から音声信号として出力する。
以上の手順により、ＡＶファイルの再生を行うことができる。
【００７８】
次に、複数の記録メモリからＩｎｄｅｘファイルに基づいて再生を行う再生方法についてさらに詳細に述べる。ここでは実施の形態１にて記録された３個の記録メモリを再生する場合を示す。図２７は、図２６のステップＳ９１を詳細に説明するフローチャートである。
（ａ−１）各記録メモリ１１１、１１２、１１３に記録されている管理情報ファイルであるＩｎｄｅｘファイルを読み出す（Ｓ１０１）。
（ａ−２）各記録メモリ１１１、１１２、１１３のＩｎｄｅｘファイルから、各映像又は音声ファイルの前後の映像又は音声ファイルの情報を取得する（Ｓ１０２）。なお、ここでは一組の映像及び音声ファイルを一つのクリップとしている。図９に記録メモリ１１１〜１１３の内容を示す。これは実施の形態１での記録された状態である。記録メモリ１１１はＭｅｄｉａ  ＩＤ  Ｍ００１であり、Ｃｌｉｐ  ＩＤ  Ｃ００１とＣｌｉｐ  ＩＤ  Ｃ００２の２個のクリップが記録されている。記録メモリ１１２はＭｅｄｉａ  ＩＤ  Ｍ００２であり、Ｃｌｉｐ  ＩＤ  Ｃ００１の１個のクリップが記録されている。また、記録メモリ１１３はＭｅｄｉａ  ＩＤ  Ｍ００３であり、Ｃｌｉｐ  ＩＤ  Ｃ００１の１個のクリップが記録されている。図１０に記録メモリ１１１〜１１３のＩｎｄｅｘファイルの内容を示す。ここで、全ての記録メモリのＩｎｄｅｘファイルを読み出して解析することにより、以下のＣｌｉｐが記録されていることが分かる。
【００７９】
・記録メモリ１１１（メディアＩＤ  Ｍ００１）
第１のクリップ        Ｃｌｉｐ  ＩＤ  Ｃ００１
第２のクリップ        Ｃｌｉｐ  ＩＤ  Ｃ００２
直後の接続クリップ
Ｍｅｄｉａ  ＩＤ  Ｍ００２  Ｃｌｉｐ  ＩＤ  Ｃ００１
・記録メモリ１１２（メディアＩＤ  Ｍ００２）
第１のクリップ        Ｃｌｉｐ  ＩＤ  Ｃ００１
直前の接続クリップ
Ｍｅｄｉａ  ＩＤ  Ｍ００１  Ｃｌｉｐ  ＩＤ  Ｃ００２
直後の接続クリップ
Ｍｅｄｉａ  ＩＤ  Ｍ００３、  Ｃｌｉｐ  ＩＤ  Ｃ００１
・記録メモリ１１３（メディアＩＤ  Ｍ００３）
第１のクリップ        Ｃｌｉｐ  ＩＤ  Ｃ００１
直前の接続クリップ
Ｍｅｄｉａ  ＩＤ  Ｍ００２  Ｃｌｉｐ  ＩＤ  Ｃ００１
【００８０】
（ａ−３）各映像又は音声ファイル（あるいはクリップ）をＩｎｄｅｘファイルに示された上記情報に基づいて順番に並べる（Ｓ１０３）。
（ａ−４）連続する一連のストリーム（素材）を構成する一連の映像又は音声ファイルの順番を作成する（Ｓ１０４）。これによって、記録メモリ１１１〜１１３には、以下の２個の記録素材（ストリーム）があることが分かる。
素材１    記録メモリ１１１    Ｃｌｉｐ  ＩＤ  Ｃ００１
素材２    以下の記録順序で３個のクリップに分割された素材
記録メモリ１１１  Ｃｌｉｐ  ＩＤ  Ｃ００２
記録メモリ１１２  Ｃｌｉｐ  ＩＤ  Ｃ００１
記録メモリ１１３  Ｃｌｉｐ  ＩＤ  Ｃ００１
【００８１】
（ｂ）次に、図２５の（ａ）に示すように、表示手段１２２によって、ユーザに上記の２個の素材があることを示し、入力手段１３０を介してユーザによる選択を受け付ける（Ｓ９２）。図２５の（ａ）は液晶画面を示し、各素材の縮小画像をアイコンとして表示する。縮小画像は例えば素材の先頭フレームのみをデコードして作成する。図２５の（ｂ）に入力手段１３０を十字キー１４２とキースイッチ１４４、１４６で構成した例を示す。ユーザは、図２５の（ｂ）に示される十字キー１４２により素材を選択し、再生ボタン１４６を押す。再生装置では、再生する素材の選択を受け付ける。
（ｃ）図２５の（ａ）に示すように素材２が選択された場合、以下の順でクリップを連続再生する（Ｓ９３）。
記録メモリ１１１  Ｃｌｉｐ  ＩＤ  Ｃ００２
記録メモリ１１２  Ｃｌｉｐ  ＩＤ  Ｃ００１
記録メモリ１１３  Ｃｌｉｐ  ＩＤ  Ｃ００１
【００８２】
このようにＩｎｄｅｘファイルを参照することで、記録時に複数のクリップに分割して記録された場合においても、連続する一連のクリップで構成される１個のまとまった素材としてユーザに表示できる。また、ユーザの選択に応じて、その素材についてあらかじめ解析して得られた順番に沿ってクリップを連続再生することができるので、ユーザの利便性が向上する。
【００８３】
（実施の形態５）
実施の形態５における再生方法では、実施の形態４と比較すると、連続に記録された複数の記録メモリの順序が入れ替わっている点で相違する。この再生方法では、記録時に格納されていた記録メモリの位置が再生時に入れ替わった場合でも、記録された順番通りに再生できる。なお、映像及び音声の記録再生装置の構成については実施の形態４と同様である。
【００８４】
次に、複数の記録メモリからＩｎｄｅｘファイルに基づいて再生を行う再生方法についてさらに詳細に述べる。ここでは図２３に示すように、記録メモリの位置が記録時に対して再生時に入れ替わっている３個の記録メモリを再生する場合を示す。
（ａ−１）各記録メモリ１１１、１１２、１１３に記録されている管理情報ファイルであるＩｎｄｅｘファイルを読み出す（Ｓ１０１）。
（ａ−２）各記録メモリ１１１、１１２、１１３のＩｎｄｅｘファイルから、各映像又は音声ファイルの前後の映像又は音声ファイルの情報を取得する（Ｓ１０２）。ここで図２３に記録メモリ１１１〜１１３の内容を示す。これは実施の形態１での記録された状態の図９に対して、記録メモリ１１２と１１３が入れ替わって装着された状態である。記録メモリ１１１は、Ｍｅｄｉａ  ＩＤ  Ｍ００１であり、Ｃｌｉｐ  ＩＤ  Ｃ００１とＣｌｉｐ  ＩＤ  Ｃ００２の２個のクリップが記録されている。記録メモリ１１２は、Ｍｅｄｉａ  ＩＤ  Ｍ００３であり、Ｃｌｉｐ  ＩＤ  Ｃ００１の１個のクリップが記録されている。また、記録メモリ１１３は、Ｍｅｄｉａ  ＩＤ  Ｍ００２であり、Ｃｌｉｐ  ＩＤ  Ｃ００１の１個のクリップが記録されている。図２４に記録メモリ１１１〜１１３のＩｎｄｅｘファイルの内容を示す。ここで、全ての記録メモリのＩｎｄｅｘファイルを読み出して解析することにより、以下のＣｌｉｐが記録されていることが分かる。
【００８５】
・記録メモリ１１１（メディアＩＤ  Ｍ００１）
第１のクリップ        Ｃｌｉｐ  ＩＤ  Ｃ００１
第２のクリップ        Ｃｌｉｐ  ＩＤ  Ｃ００２
直後の接続クリップ
Ｍｅｄｉａ  ＩＤ  Ｍ００２  Ｃｌｉｐ  ＩＤ  Ｃ００１
・記録メモリ１１２（メディアＩＤ  Ｍ００３）
第１のクリップ        Ｃｌｉｐ  ＩＤ  Ｃ００１
直前の接続クリップ
Ｍｅｄｉａ  ＩＤ  Ｍ００２  Ｃｌｉｐ  ＩＤ  Ｃ００１
・記録メモリ１１３（メディアＩＤ  Ｍ００２）
第１のクリップ        Ｃｌｉｐ  ＩＤ  Ｃ００１
直前の接続クリップ
Ｍｅｄｉａ  ＩＤ  Ｍ００１  Ｃｌｉｐ  ＩＤ  Ｃ００２
直後の接続クリップ
Ｍｅｄｉａ  ＩＤ  Ｍ００３  Ｃｌｉｐ  ＩＤ  Ｃ００１
【００８６】
（ａ−３）各映像又は音声ファイル（あるいはクリップ）をＩｎｄｅｘファイルに示された上記情報に基づいて順番に並べる（Ｓ１０３）。
（ａ−４）連続する一連のストリーム（素材）を構成する一連の映像又は音声ファイルの順番を作成する（Ｓ１０４）。これによって、記録メモリ１１１〜１１３には、以下の２個の記録素材があることが分かる。
素材１    記録メモリ１１１    Ｃｌｉｐ  ＩＤ  Ｃ００１
素材２    以下の記録順序で３個のクリップに分割された素材
１）記録メモリ１１１  Ｃｌｉｐ  ＩＤ  Ｃ００２
２）記録メモリ１１３  Ｃｌｉｐ  ＩＤ  Ｃ００１
３）記録メモリ１１２  Ｃｌｉｐ  ＩＤ  Ｃ００１
【００８７】
（ｂ）次に、図２５の（ａ）に示すように、表示手段１２２によって、ユーザに上記の２個の素材があることを示し、入力手段１３０を介してユーザによる選択を受け付ける（Ｓ９２）。図２５の（ａ）は液晶画面を示し、各素材の縮小画像をアイコンとして表示する。縮小画像は例えば素材の先頭フレームのみをデコードして作成する。図２５の（ｂ）に入力手段１３０を十字キー１４２とキースイッチ１４４、１４６で構成した例を示す。ユーザは十字キー１４２により素材を選択し、再生ボタン１４６を押す。再生装置では、再生する素材の選択を受け付ける。
（ｃ）図２５の（ａ）に示すように素材２が選択された場合、以下の順でクリップを連続再生する（Ｓ９３）。
記録メモリ１１１  Ｃｌｉｐ  ＩＤ  Ｃ００２
記録メモリ１１３  Ｃｌｉｐ  ＩＤ  Ｃ００１
記録メモリ１１２  Ｃｌｉｐ  ＩＤ  Ｃ００１
【００８８】
このようにＩｎｄｅｘファイルのＣｌｉｐ  Ｉｎｄｅｘの、Ｎｅｘｔ  Ｃｌｉｐの情報を参照することによって、分割されたクリップの直前と直後のメディアとクリップを特定することが出来るため、複数のメモリに分割して記録されたクリップを再生する場合であって、複数の記録メモリの装着位置が記録時と異なる状態でも記録時の順序通り再生することができる。
【００８９】
なお、上記のように連続するクリップで構成される素材を選択するのではなく、一つのクリップ、例えば、記録メモリ１１１のＣｌｉｐ  ＩＤ  Ｃ００２のクリップを選択し、再生する場合について説明する。
（ａ）この場合、表示手段１２２によって素材ではなく、各記録メモリ１１１、１１２、１１３に記録された各クリップを表示し、入力手段１３０を介してユーザの選択を受け付ける。
（ｂ）再生するクリップ記録メモリ１１１のＣｌｉｐ  ＩＤ Ｃ００２の選択を受け付けた場合には、記録メモリ１１１のＩｎｄｅｘファイルのＣｌｉｐ  Ｉｎｄｅｘを参照する。これによって、Ｃｌｉｐ  ＩＤ  Ｃ００２のＮｅｘｔ  Ｃｌｉｐ、すなわち次に連続して再生すべきクリップは、Ｍｅｄｉａ  ＩＤ  Ｍ００２のＣｌｉｐ ＩＤ  Ｃ００１であることが分かる。
（ｃ）次に、全ての記録メモリのＩｎｄｅｘファイルのＭｅｄｉａ  Ｉｎｄｅｘから、Ｍｅｄｉａ  ＩＤ  Ｍ００２を探索する。探索の結果、記録メモリ１１３がＭｅｄｉａ  ＩＤ  Ｍ００２であることが分かる。さらに、Ｃｌｉｐ  ＩｎｄｅｘからＣｌｉｐ  ＩＤ  Ｃ００１のクリップが存在することと、そのＮｅｘｔ  ＣｌｉｐがＭｄｅｉａ  ＩＤ  Ｍ００３のＣｌｉｐ  ＩＤ  Ｃ００１であることが分かる。
（ｄ）同様にして、Ｉｎｄｅｘファイルを参照することによって、記録メモリ１１３にＭｅｄｉａ  ＩＤ  Ｍ００３のＣｌｉｐ  ＩＤ  Ｃ００１が存在し、Ｎｅｘｔ  Ｃｌｉｐが無いので、それが連続するクリップの最後であることが分かる。
（ｅ）従って、記録メモリ１１１のＣｌｉｐ  ＩＤ  Ｃ００２のクリップが選択されると、以下の順で連続してクリップを再生すれば良いことが分かる。
記録メモリ１１１  Ｃｌｉｐ  ＩＤ  Ｃ００２
記録メモリ１１３  Ｃｌｉｐ  ＩＤ  Ｃ００１
記録メモリ１１２  Ｃｌｉｐ  ＩＤ  Ｃ００１
【００９０】
このようにＩｎｄｅｘファイルのＣｌｉｐ  Ｉｎｄｅｘの、Ｎｅｘｔ  Ｃｌｉｐの情報を参照することによって、分割されたクリップの直前と直後のクリップを特定することが出来る。そこで、複数のメモリに分割して記録されたクリップを選択して再生する場合において、複数の記録メモリの装着位置が記録時と異なる状態でも記録時の順序通りに再生することができる。
【００９１】
（実施の形態６）
実施の形態６では、ストリームを複数のクリップに分割し、それぞれのクリップを複数の記録メモリに分割して記録した場合において、再生装置に格納した記録メモリが一部の記録メモリが欠落した場合の再生方法について説明する。図２８に記録メモリ１１１〜１１３の内容を示す。実施の形態４の記録メモリの状態と比較すると、記録メモリ１１３のみ内容が異なっており、記録メモリ１１１〜１１２は同一の内容である。記録メモリ１１３はＭｅｄｉａ  ＩＤ  Ｍ００８であり、クリップは記録されていない。図２９は、記録メモリ１１１〜１１３のＩｎｄｅｘファイルの内容を示している。
【００９２】
次に、複数の記録メモリからＩｎｄｅｘファイルに基づいて再生を行う再生方法についてさらに詳細に述べる。
（ａ−１）各記録メモリ１１１、１１２、１１３に記録されている管理情報ファイルであるＩｎｄｅｘファイルを読み出す（Ｓ１０１）。
（ａ−２）各記録メモリ１１１、１１２、１１３のＩｎｄｅｘファイルから、各映像又は音声ファイルの前後の映像又は音声ファイルの情報を取得する（Ｓ１０２）。ここで、全ての記録メモリのＩｎｄｅｘファイルを読み出して解析することにより、以下のＣｌｉｐが記録されていることが分かる。
【００９３】
・記録メモリ１１１（メディアＩＤ  Ｍ００１）
第１のクリップ        Ｃｌｉｐ  ＩＤ  Ｃ００１
第２のクリップ        Ｃｌｉｐ  ＩＤ  Ｃ００２
直後の接続クリップ
Ｍｅｄｉａ  ＩＤ  Ｍ００２  Ｃｌｉｐ  ＩＤ  Ｃ００１
・記録メモリ１１２（メディアＩＤ  Ｍ００３）
第１のクリップ          Ｃｌｉｐ  ＩＤ  Ｃ００１
直前の接続クリップ
Ｍｅｄｉａ  ＩＤ  Ｍ００２  Ｃｌｉｐ  ＩＤ  Ｃ００１
・記録メモリ１１３（メディアＩＤ  Ｍ００８）
クリップ無し
【００９４】
（ａ−３）各映像又は音声ファイル（あるいはクリップ）をＩｎｄｅｘファイルに示された上記情報に基づいて順番に並べる（Ｓ１０３）。
（ａ−４）連続する一連のストリーム（素材）を構成する一連の映像又は音声ファイルの順番を作成する（Ｓ１０４）。これによって、記録メモリ１１１〜１１３には、以下の２個の記録素材があることが分かる。
素材１    記録メモリ１１１    Ｃｌｉｐ  ＩＤ  Ｃ００１
素材２    以下の記録順序で３個のクリップに分割された素材中の２個のクリップ
１）記録メモリ１１１  Ｃｌｉｐ  ＩＤ  Ｃ００２
２）装着されていない  
（Ｍｅｄｉａ  ＩＤ  Ｍ００２  Ｃｌｉｐ  ＩＤ  Ｃ００１）
３）記録メモリ１１２  Ｃｌｉｐ  ＩＤ  Ｃ００１
【００９５】
（ｂ）次に、図３０の（ａ）に示すように、表示手段１２２によって、ユーザに上記の２個の素材があることを示し、入力手段１３０を介してユーザによる選択を受け付ける（Ｓ９２）。図３０の（ａ）及び（ｃ）は、表示手段１２２によって素材を示す例をあらわしている。図３０の（ｂ）および（ｄ）に入力手段１３０を十字キー１４２とキースイッチ１４４、１４６で構成した例を示す。図３０の（ａ）は液晶画面を示し、各素材の縮小画像をアイコンとして表示する。縮小画像は例えば素材の先頭フレームのみをデコードして作成する。ここで、素材２については、一部のクリップが装着されていないため、図３０の（ａ）において、素材２に「？」マークを付して不正規な状態であることを示している。ユーザは十字キー１４２により素材を選択し、再生ボタン１４６により選択されたクリップを再生する。図３０の（ａ）に示すように素材２が選択され、再生する場合、一部のクリップが装着されておらず、そのクリップはＭｅｄｉａ  ＩＤ  Ｍ００２に記録されていることが分かっている為、たとえば、図３０の（ｂ）のように、「！Ｍｅｄｉａ  ＩＤ  Ｍ００２のメモリを２番目のスロットに装着して下さい」と表示してユーザに警告する。
【００９６】
（ｃ）図３０の（ａ）に示すように、記録メモリ１１１のＣｌｉｐ  ＩＤ  Ｃ００２のクリップが選択された場合、以下のように動作する。
（ｃ−１）クリップが選択された際に、記録メモリ１１１のＩｎｄｅｘファイルのＣｌｉｐ  Ｉｎｄｅｘを参照することにより、Ｃｌｉｐ  ＩＤ  Ｃ００２のＮｅｘｔ  Ｃｌｉｐから、次に連続して再生すべきクリップは、Ｍｅｄｉａ  ＩＤ  Ｍ００２のＣｌｉｐ  ＩＤ  Ｃ００１であることが分かる。
（ｃ−２）次に、全ての記録メモリのＩｎｄｅｘファイルのＭｅｄｉａ  Ｉｎｄｅｘから、Ｍｅｄｉａ  ＩＤ  Ｍ００２を探索する。探索の結果、該当するＭｅｄｉａ  ＩＤの記録メモリは存在しないことが分かる。すなわち、該当する記録メモリがこの再生装置に装着されていないことがわかる。
（ｃ−３）従って、分割されたクリップを連続再生することは不可能である。この場合、不足しているクリップが記録されている記録メモリは、Ｍｅｄｉａ  ＩＤ  Ｍ００２の記録メモリであることが分かるので、ユーザに対して警告することができる。
（ｃ−４）ユーザへの警告は、図３０の（ｃ）に示すように、例えば、表示手段１２２によって、Ｍｅｄｉａ  ＩＤ  Ｍ００２の記録メモリを装着するように表示する。
【００９７】
上記のような場合、Ｍｅｄｉａ  ＩＤを記録メモリのラベル等に明記しておくことで、ユーザが該当する記録メモリを探し出す作業を簡易にすることが出来る。例えば、Ｍｅｄｉａ  ＩＤを記録メモリのシリアル番号とした場合は、記録メモリの製造時に記録メモリにシリアル番号を印刷しておくことによってユーザがシリアル番号を容易に認識でき、上記警告に従って、所望の記録メモリを探し出して、装着することができる。
【００９８】
さらに、上記説明では、Ｎｅｘｔ  Ｃｌｉｐを利用して次に再生すべきクリップを検索する例を示したが、Ｐｒｅｖｉｏｕｓ  Ｃｌｉｐを使用して直前のクリップを検索することもできる。例えば、図２８において、記録メモリ１１２のＩｎｄｅｘファイルの内容から、記録メモリ１１２のＣｌｉｐ  ＩＤ  Ｃ００１のクリップの直前のクリップはＭｅｄｉａ  ＩＤ  Ｍ００２、Ｃｌｉｐ  ＩＤ  Ｃ００１のクリップであることが分かり、上記と同様にユーザに対して該当する記録メモリを装着するように指示をすることができる。
【００９９】
また、本実施の形態では、分割されたクリップの中間のクリップが装着されていない場合を示した。Ｎｅｘｔ  ＣｌｉｐとＰｒｅｖｉｏｕｓ  Ｃｌｉｐの情報から、該当するクリップの直前と直後のクリップを特定することが出来るので、分割されたクリップの先頭クリップが欠落した場合、または最終クリップが欠落した場合でも、欠落した記録メモリのＭｅｄｉａ  ＩＤを特定することができる。
【０１００】
またさらに、Ｍｅｄｉａ  ＩＤ  Ｍ００２の記録メモリが装着されない場合でも、記録メモリ１１１のＭｅｄｅｉａ  ＩＤ  Ｍ００１  Ｃｌｉｐ  ＩＤ  Ｃ００２のクリップと、記録メモリ１１３のＭｅｄｉａ  ＩＤ  Ｍ００３  Ｃｌｉｐ  ＩＤ  Ｃ００１のクリップは個別に再生できる。これは、それぞれのＣｌｉｐＩＤから、対応する映像ファイルと音声ファイル等、再生に必要な情報を得ることができるからである。
【０１０１】
このように、ＩｎｄｅｘファイルのＣｌｉｐ  Ｉｎｄｅｘの、Ｎｅｘｔ  ＣｌｉｐとＰｒｅｖｉｏｕｓ  Ｃｌｉｐの情報を参照することで、分割されたクリップの直前と直後のメディアとクリップを特定することができ、分割されたクリップの一部のメモリが装着されていない場合でも、該当するメモリを特定することが容易にできると共に、一部のメモリが装着されていない状態でも、分割されたクリップの内、装着されているクリップは分割されていないクリップと同等の情報を備えているので、再生することができる。
【０１０２】
さらに、欠落するクリップが複数に及んだ場合でも、前後のクリップはＵＭＩＤが同一であることから同一素材であることは容易に判別できるため、分割されたクリップは常に同一の素材として扱うことができる。また、ＵＭＩＤの代わりに個々の素材を区別する為のＩＤを付加している場合でも同様の効果があることは明らかである。
【０１０３】
なお、全ての実施の形態において、Ｉｎｄｅｘファイル内にＭｅｄｉａ  ＩｎｄｅｘとＣｌｉｐ  Ｉｎｅｄｘを含んでいるが、Ｍｅｄｉａ  ＩＤをシリアル番号とする場合は、図１９に示すように別途シリアル番号を検出する手段１２４を設けることによって、Ｍｅｄｉａ  ＩＤを省略することができる。例えば、記録メモリに対して所定のコマンドを与えることで、記録メモリ内のコントローラがシリアル番号を出力する様な場合は、Ｍｅｄｉａ  ＩＤを省略することが可能である。また、このような場合でもＭｅｄｉａ  ＩＤをＩｎｄｅｘファイルに記録することで、ネットワーク接続など記録メモリに対して専用コマンドが通信出来ない場合においても、シリアル番号をＩｎｄｅｘファイルから容易に検出することが可能である。
【０１０４】
なお、Ｃｌｉｐ  Ｉｎｄｅｘは、Ｉｎｄｅｘファイルとは別の、クリップ毎に独立したファイル構成としても、同様の効果が得られることは明らかである。
【図面の簡単な説明】
【０１０５】
【図１】本発明の実施の形態１の映像記録装置の構成を表す図である。
【図２】本発明の実施の形態１における記録される映像ファイルおよび音声ファイルの構成を示す図である。
【図３】本発明の実施の形態１における映像フレームと音声のサンプル数の関係を示す図である。
【図４】本発明の実施の形態１におけるＩｎｄｅｘファイルによるクリップと映像ファイルおよび音声ファイルの関係を示す図である。
【図５】本発明の実施の形態１におけるＩｎｄｅｘファイルの構造を示す図である。
【図６】本発明の実施の形態１におけるＩｎｄｅｘファイルの各要素を示す図である。
【図７】本発明の実施の形態１における記録メモリの内容を示す図である。
【図８】本発明の実施の形態１における各記録メモリの内容と映像および音声ファイルの構成を示す図である。
【図９】本発明の実施の形態１における記録動作終了後の記録メモリの内容を示す図である。
【図１０】本発明の実施の形態１における記録動作終了後のＩｎｄｅｘファイルの内容を示す図である。
【図１１】本発明の実施の形態２におけるファイルサイズの推移を示す図である。
【図１２】本発明の実施の形態２における各記録メモリの内容と映像および音声ファイルの構成を示す図である。
【図１３】本発明の実施の形態１に係る記録方法のフローチャートである。
【図１４】本発明の実施の形態１に係る記録方法の別例のフローチャートである。
【図１５】本発明の実施の形態１に係る記録方法のさらに別例のフローチャートである。
【図１６】本発明の実施の形態１に係る記録方法のさらに別例のフローチャートである。
【図１７】本発明の実施の形態２に係る記録先の切り替えの判断に関するフローチャートである。
【図１８】本発明の実施の形態３の映像記録装置の構成を表す図である。
【図１９】本発明の実施の形態３に係る記録方法のフローチャートである。
【図２０】本発明の実施の形態３に係る記録方法の別例のフローチャートである。
【図２１】本発明の実施の形態３に係る記録方法のさらに別例のフローチャートである。
【図２２】本発明の実施の形態３に係る記録方法のさらに別例のフローチャートである。
【図２３】本発明の実施の形態５における記録メモリの内容を示す図である。
【図２４】本発明の実施の形態５におけるＩｎｄｅｘファイルの内容を示す図である。
【図２５】（ａ）は、本発明の実施の形態４における表示手段による素材の表示例であり、（ｂ）は、入力手段の一例を示す図である。
【図２６】本発明の実施の形態４に係る再生方法のフローチャートである。
【図２７】図２６の管理情報読出し及び解析ステップの詳細なフローチャートである。
【図２８】本発明の実施の形態６における記録メモリの内容を示す図である。
【図２９】本発明の実施の形態６におけるＩｎｄｅｘファイルの内容を示す図である。
【図３０】（ａ）は、本発明の実施の形態６における表示手段による素材の表示例であり、（ｂ）及び（ｄ）は、入力手段の一例を示す図であり、（ｃ）は、（ａ）で素材２の再生指示を行った場合の表示例である。
【符号の説明】
【０１０６】
１００、１００ａ  記録再生装置
１０１  システム制御部
１０２  映像ファイル処理手段
１０３  音声ファイル処理手段
１０４  Ｉｎｄｅｘファイル処理手段
１０５  記録メモリ処理手段
１０６  ファイルシステム
１０７  ファイルシステム用メモリ
１０８  記録バッファメモリ
１０９  再生バッファメモリ
１１０  記録メモリＩ／Ｆ
１１１、１１２、１１３  記録メモリ
１１４  制御メモリ
１２０  Ｉ／Ｏバス
１２２  表示手段
１２４  シリアル番号検出手段
１３０  入力手段
１３１  エンコーダ
１３２  映像入力手段
１３３  デコーダ
１３４  映像出力手段
１３５  音声入力手段
１３６  音声出力手段
１４２  十字キー
１４４  停止ボタン
１４６  再生ボタン
【図１】
2004355794.tif 000003
【図２】
2004355794.tif 000004
【図３】
2004355794.tif 000005
【図４】
2004355794.tif 000006
【図５】
2004355794.tif 000007
【図６】
2004355794.tif 000008
【図７】
2004355794.tif 000009
【図８】
2004355794.tif 000010
【図９】
2004355794.tif 000011
【図１０】
2004355794.tif 000012
【図１１】
2004355794.tif 000013
【図１２】
2004355794.tif 000014
【図１３】
2004355794.tif 000015
【図１４】
2004355794.tif 000016
【図１５】
2004355794.tif 000017
【図１６】
2004355794.tif 000018
【図１７】
2004355794.tif 000019
【図１８】
2004355794.tif 000020
【図１９】
2004355794.tif 000021
【図２０】
2004355794.tif 000022
【図２１】
2004355794.tif 000023
【図２２】
2004355794.tif 000024
【図２３】
2004355794.tif 000025
【図２４】
2004355794.tif 000026
【図２５】
2004355794.tif 000027
【図２６】
2004355794.tif 000028
【図２７】
2004355794.tif 000029
【図２８】
2004355794.tif 000030
【図２９】
2004355794.tif 000031
【図３０】
2004355794.tif 000032